(57)【要約】【課題】橋桁の下フランジの下部に隅肉溶接によって取り付けられているソールプレート等の、隅肉溶接部分を連続的に切断できるベースプレートの切断装置を提供する。【解決手段】橋桁の下フランジの下部に隅肉溶接によって取り付けられているソールプレート等の、当該隅肉溶接部分を切断する切断装置１１であって、長板状の保持板１３と、保持板の上部に設けられる所要長さの一対のレール部材１２と、一対のレール部材に沿って平行に設けられる移動用ネジ棒１４と、移動用ネジ棒の一端部に設けられる回転ハンドル１５と、レール部材に設置されてその長手方向に沿って移動自在であると共に移動用ネジ棒の回転に伴って移動する基台１６と、基台に設置される駆動モータ１７と、駆動モータに連設し、下フランジに沿う状態で配設される切断刃１８と、保持板から上方に延設されて、下フランジに吸着可能に配設される磁石１９とから構成される。【選択図】図４
2015121072.tif 000002
【特許請求の範囲】
【請求項１】
橋桁の下フランジの下部に隅肉溶接によって取り付けられているソールプレートの、当該隅肉溶接部分を切断する切断装置であって、
長板状の保持板と、
該保持板の上部に設けられる所要長さの一対のレール部材と、
該一対のレール部材に沿って平行に設けられる移動用ネジ棒と、
該移動用ネジ棒の一端部に設けられる回転ハンドルと、
前記レール部材に設置されてその長手方向に沿って移動自在であると共に前記移動用ネジ棒の回転に伴って移動する基台と、
該基台に設置される駆動モータと、
該駆動モータに連設し、前記下フランジに沿う状態で配設される切断刃と、
前記保持板から上方に延設されて、前記下フランジに吸着可能に配設される磁石と、から少なくとも構成されること
を特徴とするベースプレートの切断装置。
【請求項２】
前記保持板の下部の所定位置には、当該保持板を上昇させるためのジャッキを設置するジャッキポイントが設けられていること
を特徴とする請求項１に記載のベースプレートの切断装置。
【請求項３】
前記切断刃の基部には、高さ及び角度を微調整するための調整ボルトが設けられていること
を特徴とする請求項１に記載のベースプレートの切断装置。
【発明の詳細な説明】
【技術分野】
【０００１】
本発明は、橋桁の下フランジの下部に隅肉溶接によって取り付けられているソールプレート等の、ベースプレートの切断装置に関するものである。
【背景技術】
【０００２】
図５の橋桁２の側面図に示すソールプレート１は、一般に矩形で平板状の金属板からなり、橋桁２の下フランジ３の下部に隅肉溶接によって取り付けられて、支承５を介して橋台６に支持されている。
【０００３】
このソールプレート１は、車両の走行による荷重が橋桁２から支承５に伝わるときに、応力集中を緩和する役目を果たしている。
【０００４】
また、ソールプレート１は、上述のように下フランジ３の下部に、全周に渡って隅肉溶接で取り付けられており、この隅肉溶接部分４に応力が集中することとなる。従って、長期間にわたる車両の走行による荷重を受けて亀裂等が発生し易いので、ソールプレート１の隅肉溶接部分４を切断して、適宜に補修や交換等が必要となる。
【０００５】
一方、鉄骨材を切断する切断機としては、特開平６−１３６９６８号公報に解体用切断機が開示されている（特許文献１参照）。この切断機は、回転カッタと、起動停止スイッチと、手持ち作業用の操作ハンドルと、これらの回転カッタ、起動停止スイッチ及び操作ハンドルを保持するハウジングとを備えている。
【先行技術文献】
【特許文献】
【０００６】
【特許文献１】特開平６−１３６９６８号公報
【発明の概要】
【発明が解決しようとする課題】
【０００７】
ソールプレート１の隅肉溶接部分４を切断する場合は、橋桁２の高所の狭隘な場所７に上らなければならず、この狭隘な場所７での上向きの作業となり、また、下フランジ３に傷を付けないよう注意する必要がある。このために、従来例のような手持ち作業用の切断機では、ソールプレート１の隅肉溶接部分４の切断作業が極めて厄介であるという問題点を有している。
【０００８】
従って、従来例における場合においては、高所の狭隘な場所７での上向きの作業であっても、下フランジ３に傷を付けないで、容易にかつ確実にソールプレート１の隅肉溶接部分４を切断することに解決しなければならない課題を有している。
【課題を解決するための手段】
【０００９】
前記従来例の課題を解決するための本発明の要旨は、橋桁の下フランジの下部に隅肉溶接によって取り付けられているソールプレートの、当該隅肉溶接部分を切断する切断装置であって、長板状の保持板と、該保持板の上部に設けられる所要長さの一対のレール部材と、該一対のレール部材に沿って平行に設けられる移動用ネジ棒と、該移動用ネジ棒の一端部に設けられる回転ハンドルと、前記レール部材に設置されてその長手方向に沿って移動自在であると共に前記移動用ネジ棒の回転に伴って移動する基台と、該基台に設置される駆動モータと、該駆動モータに連設し、前記下フランジに沿う状態で配設される切断刃と、前記保持板から上方に延設されて、前記下フランジに吸着可能に配設される磁石と、から少なくとも構成されることである。
【００１０】
また、前記保持板の下部の所定位置には、当該保持板を上昇させるためのジャッキを設置するジャッキポイントが設けられていること、；
前記切断刃の基部には、高さ及び角度を微調整するための調整ボルトが設けられていること、；
を含むものである。
【発明の効果】
【００１１】
本発明に係るベースプレートの切断装置によれば、磁石を下フランジの下部に吸着させてから、切断刃を回転駆動させてソールプレートの隅肉溶接部分を切断すると共に、回転ハンドルを操作して移動用ネジ棒に沿って基台を移動させれば、一辺の隅肉溶接部分を切断刃で連続的に切断することができる。
従って、橋桁の高所の狭い場所での上向きの作業であっても、下フランジに傷を付けないで、容易にかつ確実にソールプレートの隅肉溶接部分を切断することができるという優れた効果を奏する。
【００１２】
保持板の下部の所定位置には、当該保持板を上昇させるためのジャッキを設置するジャッキポイントが設けられていることによって、ジャッキポイントが目印になるのでジャッキを所定位置に正確に設置できる。
そして、ジャッキアップして切断装置を全体的に平行に上昇させることが容易に行えるという優れた効果を奏する。
【００１３】
切断刃の基部には、高さ及び角度を微調整するための調整ボルトが設けられていることによって、切断刃の高さや角度を微調整してソールプレートの隅肉溶接部分に正確かつ確実に宛がうことができるという優れた効果を奏する。
【図面の簡単な説明】
【００１４】
【図１】本発明に係るベースプレートの切断装置１１の正面図である。
【図２】本発明に係るベースプレートの切断装置１１の平面図である。
【図３】本発明に係るベースプレートの切断装置１１の一部を省略した側面図である。
【図４】本発明に係るベースプレートの切断装置１１の斜視図である。
【図５】下フランジ３に設けられたソールプレート１を説明する橋桁２の側面図である。
【発明を実施するための形態】
【００１５】
次に、本発明の実施の形態について図面を参照しながら説明する。まず、図１から図４において、符号１１はベースプレートの切断装置を示し、この切断装置１１は、長板状の保持板１３と、保持板１３の上部に設けられるレール部材１２と、レール部材１２に沿って設けられる移動用ネジ棒１４と、移動用ネジ棒１４の一端部に設けられる回転ハンドル１５と、レール部材１２に設置されてその長手方向に沿って移動自在である基台１６と、基台１６に設置される駆動モータ１７と、駆動モータ１７に連設される切断刃１８と、保持板１３から上方に延設される磁石１９とから構成される。
【００１６】
ベースプレートの切断装置１１は、従来例で説明したように、橋桁２の下フランジ３の下部に全周に渡って隅肉溶接によって取り付けられているソールプレート１等の、当該隅肉溶接部分４を切断するための切断装置である（図５参照）。
【００１７】
保持板１３は、長板状の金属板であり、所要の長さ及び幅に形成されている。
【００１８】
保持板１３の下部の所定位置には、図１に示すように、ジャッキ２４を設置する場合の目印となるジャッキポイント２５が設けられている。ジャッキ２４は、当該保持板１３を上昇させるために設置するものである。このジャッキポイント２５の存在によってジャッキ２４を所定位置に正確に設置できる。なお、ジャッキ２４は、橋桁２の下方の橋台６に必要に応じて設置する。
【００１９】
レール部材１２は、所要長さで角柱状に形成されており、このレール部材１２が一対、保持板１３の上部にネジ止め、溶接等の手段で固着されている。このように保持板１３の上にレール部材１２が一体的に保持されていることによって、レール部材１２に外力が加わっても、歪み、変形又は位置ズレが生じない。
【００２０】
また、一対のレール部材１２は、保持板１３の一方の側部１３ａに寄った位置に設けられている（図２参照）。このような片側寄りの位置にレール部材１２が設けられることによって、磁石１９を下フランジ３の下部に吸着させたときに、切断刃１８をソールプレート１の隅肉溶接部分４に近似させて当接させ易いという利点がある。
【００２１】
移動用ネジ棒１４は、全周に渡って雄ネジが刻設されており、一対のレール部材１２の間に平行に、かつ回転自在に設けられる。
【００２２】
また、移動用ネジ棒１４は、その両端部１４ａがレール部材１２の両端部１２ａよりも長めに形成されている（図２参照）。このように移動用ネジ棒１４がレール部材１２よりも長く形成されてることによって、基台１６をレール部材１２に沿って移動させたときに、当該レール部材１２の全長に渡って基台１６を横移動させることができる。従って、ソールプレート１の隅肉溶接部分４をより長く切断できるという利点がある。
【００２３】
回転ハンドル１５は、移動用ネジ棒１４の一端部に設けられており、この回転ハンドル１５を回転することによって、移動用ネジ棒１４を回転できる仕組みになっている。
【００２４】
基台１６は、所要大きさの板状に形成されており、その下部には略コ字状の係止部２０を有している。この係止部２０がレール部材１２に係止しており、当該レール部材１２の長手方向に沿って摺動状態で移動できるようになっている。
【００２５】
また、基台１６の下部には、図示しない雌ネジ部が設けられており、この雌ネジ部が移動用ネジ棒１４の雄ネジに螺合している。従って、回転ハンドル１５を回転させて移動用ネジ棒１４を回転すると、基台１６がレール部材１２の長手方向に沿って移動する仕組みになっている。
【００２６】
駆動モータ１７は、基台１６の上に本体部１７ａを介して設置されており、図示しないＯＮ／ＯＦＦスイッチによって駆動と停止の操作がなされる。
【００２７】
切断刃１８は、円盤形の切断刃あるいは丸刃のチップソーであって、駆動モータ１７に、本体部１７ａと基部２１とを介して連設されている。また、切断刃１８は、下フランジ３に沿う状態で配設される。
【００２８】
また、切断刃１８の基部２１には、図１に示すように、その高さ及び角度を微調整するための調整ボルト２２が設けられている。この調整ボルト２２を緩めてから切断刃１８の高さや角度を微調整することによって、ソールプレート１の隅肉溶接部分４に正確かつ確実に宛がうことができる。
【００２９】
磁石１９は、保持部１３から上方に延設される支持ポール２３の上端に設けられており、磁石スイッチ１９ａのＯＮ／ＯＦＦ操作によって、磁石１９を下フランジ３に当接させて吸着させ、又は取り外することができる。なお、磁石１９は、永久磁石でもあるいは電磁石でもよく、要するに、下フランジ３に確実に吸着させ又は取り外することができればよいのである。
【００３０】
以上のように構成されるベースプレートの切断装置１１は、磁石１９を下フランジ３の下部に吸着させてから、切断刃１８を回転駆動させてソールプレート１の隅肉溶接部分４を切断する。また、回転ハンドル１５を操作して移動用ネジ棒１４に沿って基台１６を移動させれば、一辺に渡る隅肉溶接部分４を連続的に切断することができる。
従って、橋桁２の高所の狭隘な場所７での上向きの作業であっても、下フランジ３に傷を付けないで、容易にかつ確実にソールプレート１の隅肉溶接部分４を切断することができるのである。
【符号の説明】
【００３１】
１    ソールプレート
２    橋桁
３    下フランジ
４    隅肉溶接部分
５    支承
６    橋台
７    狭隘な場所
１１  ベースプレートの切断装置
１２  レール部材
１２ａ端部
１３  保持板
１３ａ側部
１４  移動用ネジ棒
１４ａ端部
１５  回転ハンドル
１６  基台
１７  駆動モータ
１７ａ本体部
１８  切断刃
１９  磁石
１９ａ磁石スイッチ
２０  係止部
２１  基部
２２  調整ボルト
２３  支持ポール
２４  ジャッキ
２５  ジャッキポイント
【図１】
2015121072.tif 000003
【図２】
2015121072.tif 000004
【図３】
2015121072.tif 000005
【図４】
2015121072.tif 000006
【図５】
2015121072.tif 000007